(57)【要約】【課題】表示対象画像のうちの注目される領域を、利用者に提示する表示対象領域として選択することのできる画像処理装置を提供する。【解決手段】表示対象画像、及び当該表示対象画像内において時間とともに移動する注目位置を示す注目位置情報を取得し、当該注目位置情報により示される注目位置に基づいて、表示対象画像内において時間とともに変化する表示対象領域を画定し、当該画定した表示対象領域の位置を示す情報を出力する画像処理装置である。【選択図】図１
2009181486.tif 000002
【特許請求の範囲】
【請求項１】
表示対象画像を取得する画像取得手段と、
前記表示対象画像内において時間とともに移動する注目位置を示す注目位置情報を取得する注目位置情報取得手段と、
前記注目位置情報により示される注目位置に基づいて、前記表示対象画像内において時間とともに変化する表示対象領域を画定し、当該画定した表示対象領域の位置を示す情報を出力する領域情報出力手段と、
を含むことを特徴とする画像処理装置。
【請求項２】
前記領域情報出力手段は、前記表示対象画像内から、複数の候補領域を画定し、当該複数の候補領域の中から、前記注目位置の移動経路に基づいて時間とともに切り替わるように、前記表示対象領域を選択する
ことを特徴とする請求項１記載の画像処理装置。
【請求項３】
前記領域情報出力手段は、前記注目位置の移動経路に沿って、時間とともに移動するように、前記表示対象領域を画定する
ことを特徴とする請求項１記載の画像処理装置。
【請求項４】
前記領域情報出力手段は、前記注目位置の前記表示対象画像内における停留点を特定し、当該停留点の位置に応じて、前記表示対象領域を画定する
ことを特徴とする請求項１記載の画像処理装置。
【請求項５】
前記領域情報出力手段は、前記注目位置の移動速度に応じて、前記画定する表示対象領域の大きさを変化させる
ことを特徴とする請求項１記載の画像処理装置。
【請求項６】
表示対象画像を取得する画像取得手段、
前記表示対象画像内において時間とともに移動する注目位置を示す注目位置情報を取得する注目位置情報取得手段、及び
前記注目位置情報により示される注目位置に基づいて、前記表示対象画像内において時間とともに変化する表示対象領域を画定し、当該画定した表示対象領域の位置を示す情報を出力する領域情報出力手段、
としてコンピュータを機能させるためのプログラム。
【発明の詳細な説明】
【技術分野】
【０００１】
本発明は、画像処理装置及びプログラムに関する。
【背景技術】
【０００２】
例えばプレゼンテーションや講義などの講演の際に使用された画像などを、講演の終了後にも閲覧したい場合がある。そこで、この講演で使用された画像（表示対象画像）を、講演中に講演者が話した音声の情報や、講演者が指し示した画像内の位置（例えばマウスポインタの位置）を示す情報などとともに記録する技術が提案されている（特許文献１参照）。このような技術により記録された表示対象画像は、表示対象画像の閲覧を希望する利用者の要求に応じて、当該利用者が使用する利用者端末に提供される。これにより、利用者端末は、講演時に記録された音声などとともに、当該端末の表示画面に応じた大きさで、表示対象画像を表示することができる。
【特許文献１】特開２００３−５８９０１号公報
【発明の開示】
【発明が解決しようとする課題】
【０００３】
本発明は、表示対象画像のうちの注目される領域を、利用者に提示する表示対象領域として選択することのできる画像処理装置及びプログラムを提供することを目的とする。
【課題を解決するための手段】
【０００４】
請求項１記載の発明は、画像処理装置であって、表示対象画像を取得する画像取得手段と、前記表示対象画像内において時間とともに移動する注目位置を示す注目位置情報を取得する注目位置情報取得手段と、前記注目位置情報により示される注目位置に基づいて、前記表示対象画像内において時間とともに変化する表示対象領域を画定し、当該画定した表示対象領域の位置を示す情報を出力する領域情報出力手段と、を含むことを特徴とする。
【０００５】
請求項２記載の発明は、請求項１記載の画像処理装置であって、前記領域情報出力手段は、前記表示対象画像内から、複数の候補領域を画定し、当該複数の候補領域の中から、前記注目位置の移動経路に基づいて時間とともに切り替わるように、前記表示対象領域を選択することを特徴とする。
【０００６】
請求項３記載の発明は、請求項１記載の画像処理装置であって、前記領域情報出力手段は、前記注目位置の移動経路に沿って、時間とともに移動するように、前記表示対象領域を画定することを特徴とする。
【０００７】
請求項４記載の発明は、請求項１記載の画像処理装置であって、前記領域情報出力手段は、前記注目位置の前記表示対象画像内における停留点を特定し、当該停留点の位置に応じて、前記表示対象領域を画定することを特徴とする。
【０００８】
請求項５記載の発明は、請求項１記載の画像処理装置であって、前記領域情報出力手段は、前記注目位置の移動速度に応じて、前記画定する表示対象領域の大きさを変化させることを特徴とする。
【０００９】
請求項６記載の発明は、表示対象画像を取得する画像取得手段、前記表示対象画像内において時間とともに移動する注目位置を示す注目位置情報を取得する注目位置情報取得手段、及び前記注目位置情報により示される注目位置に基づいて、前記表示対象画像内において時間とともに変化する表示対象領域を画定し、当該画定した表示対象領域の位置を示す情報を出力する領域情報出力手段、としてコンピュータを機能させるためのプログラムである。
【発明の効果】
【００１０】
請求項１及び６記載の発明によれば、表示対象画像のうちの注目される領域を、利用者に提示する表示対象領域として選択することができる。
【００１１】
請求項２記載の発明によれば、表示対象画像の中から画定された候補領域のいずれかに対応するように、表示対象領域を選択できる。
【００１２】
請求項３記載の発明によれば、注目位置の移動経路に対応して移動する領域を、表示対象領域として選択できる。
【００１３】
請求項４記載の発明によれば、表示対象画像内で注目位置が停留した場所を、表示対象領域として選択できる。
【００１４】
請求項５記載の発明によれば、注目位置の移動速度の変化に併せて、注目位置の移動経路を含めるように、表示対象領域を選択できる。
【発明を実施するための最良の形態】
【００１５】
以下、本発明の実施の形態について、図面を参照しながら説明する。
【００１６】
図１は、本発明の一実施形態に係る講演情報配信装置（画像処理装置）１の概略の構成例を示す図である。図１に示すように、講演情報配信装置１は、ＬＡＮや無線通信網などの通信手段を介して講演記録装置２及び利用者端末３とデータ通信可能に接続されている。
【００１７】
講演情報配信装置１は、例えばサーバコンピュータ等であって、図１に示すように、制御部１１と、記憶部１２と、通信部１３と、を含んで構成される。講演情報配信装置１は、講演が行われた際に記録された講演情報を、講演記録装置２から受け入れて蓄積する。また、利用者端末３からの要求に応じて、蓄積された講演情報を利用者端末３に対して配信する。さらに、本実施形態において、講演情報配信装置１は、受け入れた講演情報に基づいて後述する表示制御情報を出力し、講演情報とともに利用者端末３に配信する。
【００１８】
制御部１１は、例えばＣＰＵ等であって、記憶部１２に格納されるプログラムに従って各種の情報処理を実行する。本実施形態において制御部１１が実行する処理の具体例については、後述する。
【００１９】
記憶部１２は、例えばＲＡＭやＲＯＭ等のメモリ素子、ハードディスクなどを含んで構成される。記憶部１２は、制御部１１によって実行されるプログラムや、各種のデータを保持する。また、記憶部１２は、制御部１１のワークメモリとしても動作する。
【００２０】
通信部１３は、例えばＬＡＮカード等のネットワークインタフェースであって、ＬＡＮや無線通信網などの通信手段を介して、講演記録装置２及び利用者端末３との間で情報の送受信を行う。
【００２１】
講演記録装置２は、例えばパーソナルコンピュータ等の情報処理装置であって、講演者が講演を行う際に使用される。本実施形態では、講演者は、例えばスクリーンやモニタの画面などに画像（講演画像）を表示しながら、プレゼンテーションや講義などの講演を行う。そして、講演記録装置２は、この講演画像や、講演の際の音声などの各種情報を、講演情報として記録する。
【００２２】
具体例として、講演記録装置２は、プレゼンテーション・プログラムを実行して、予め用意された画像をスクリーンに投影して表示させる。また、講演記録用のプログラムを実行して、表示される画像を所定時間おきに監視するとともに、マイクロフォンにより講演者が話す内容を録音する。そして、記録開始時及び表示される画像が講演者の指示などによって変更された場合には、新たに表示された画像を講演画像として記録し、画像の切り替えタイミングを示す時刻情報を記録する。また、それまで録音された音声を一つの音声データファイルとして出力して、新たな音声の録音を開始する。これにより、講演の際に聴衆に提示された複数の講演画像のそれぞれについて、当該講演画像が画面上に表示された表示時間が記録されるともに、当該講演画像の表示中に録音された音声情報を含んだ音声データファイルが生成される。
【００２３】
さらに、本実施形態においては、講演記録装置２は、講演の際に、講演画像内において時間とともに移動する注目位置を特定し、当該注目位置を示す注目位置情報を記録する。この注目位置は、講演中に注目されると考えられる講演画像内の位置であって、具体的には、講演者によって指し示される講演画像内の位置などである。この注目位置は、講演の進行に伴って、講演画像内を移動する。一例として、講演記録装置２は、講演画像が表示された画面上を講演者の操作により移動するマウスポインタの位置を示す情報を所定時間おきに取得し、注目位置情報として記録する。また、レーザーポインタ等によって講演者が指し示したスクリーン上の位置をセンサ等によって特定することによって、注目位置情報を記録してもよい。
【００２４】
以上説明した処理によって、講演記録装置２は、図２に例示するような講演情報を記録する。図２の例では、講演情報は、講演中に表示された講演画像のデータと、当該講演画像の提示中に録音された音声データと、当該講演画像内を移動する注目位置を示す注目位置情報と、を互いに関連づけて含んだ情報である。
【００２５】
また、各講演画像に関連づけられた注目位置情報は、図３に例示するようなデータとして記録される。図３の例では、注目位置情報は、対応する講演画像の表示開始時を基準時点として、この基準時点からの経過時間を示す情報と、当該時間が経過した時点における当該講演画像内の注目位置の位置座標（Ｘ座標及びＹ座標）と、を関連づける情報となっている。これにより、講演画像内における注目位置の移動経路が特定される。ここでは基準時点からの経過時間を示す情報として、基準時点から数えた所定の時間間隔（例えば０．１秒）おきの時系列のインデックスを表す時系列番号が記録されている。例えば時系列番号「１」は基準時点を、時系列番号「２」は基準時点から０．１秒経過後の時点を、時系列番号「３」は基準時点から０．２秒経過後の時点を、それぞれ表している。なお、基準時点からの経過時間を示す情報は、例えば秒を単位とした時間そのものを表す値であってもよい。講演記録装置２は、これらの講演情報を、講演情報配信装置１に送信する。
【００２６】
利用者端末３は、講演情報配信装置１に蓄積された講演情報の利用を希望する利用者が使用する情報処理装置である。本実施形態では、この利用者端末３は、例えば携帯電話やＰＤＡ（Personal Digital Assistant）、電子ブックリーダなど、利用者が携帯して持ち運ぶことの可能な携帯型端末であるものとする。利用者端末３は、講演情報配信装置１から講演情報の配信を受け、当該講演情報に含まれる画像を表示対象画像としてディスプレイの画面内に表示したり、当該講演情報に含まれる音声データをスピーカから再生したりする。
【００２７】
以下、本実施形態に係る講演情報配信装置１が実現する機能について、説明する。講演情報配信装置１は、機能的に、図４に示すように、講演情報取得部２１と、領域情報出力部２２と、講演情報配信部２３と、を含んで構成される。これらの機能は、例えば制御部１１が記憶部１２に格納されているプログラムを実行することにより、実現される。また、このプログラムは、例えばインターネット等の通信手段を介して提供されてもよいし、例えばＣＤ−ＲＯＭやＤＶＤ−ＲＯＭ等、各種のコンピュータ読み取り可能な情報記憶媒体に格納されて提供されてもよい。
【００２８】
講演情報取得部２１は、利用者の視聴に供するために、講演記録装置２から送信される講演情報を取得し、記憶部１２に格納する。具体的に、講演情報取得部２１は、利用者端末３に表示させる対象となる表示対象画像として、複数の講演画像を取得する。また、各講演画像内を当該講演画像が講演時に表示されていた時間にわたって移動する注目位置を示す注目位置情報を取得する。
【００２９】
領域情報出力部２２は、講演情報取得部２１が取得した注目位置情報により示される注目位置に基づいて、講演情報取得部２１が取得した各表示対象画像内において時間とともに変化する表示対象領域を画定する。そして、当該画定した表示対象領域の位置を示す情報を出力する。出力された情報は、利用者端末３による表示処理に用いられる表示制御情報の一部として、講演情報取得部２１が取得した講演情報とともに、記憶部１２に格納される。
【００３０】
具体的に、領域情報出力部２２により画定される表示対象領域は、講演中に表示対象画像が表示されていた時間に対応する時間にわたって、当該表示対象画像内において時間とともに変化する領域である。領域情報出力部２２は、講演情報取得部２１が取得した複数の表示対象画像のそれぞれについて、時間の経過に従って当該表示対象画像内から表示対象領域として画定される複数の領域のそれぞれの位置を示す情報と、各領域を表示する順序と、各領域を表示する時間と、を示す情報を出力する。なお、領域情報出力部２２が表示対象画像のそれぞれについて表示対象領域を画定する処理の具体例については、後述する。
【００３１】
図５は、領域情報出力部２２によって生成される表示制御情報の一例を示す図である。図５の例では、表示制御情報は、表示対象画像を特定する情報と、当該表示対象画像とともに出力すべき音声データを特定する情報と、当該表示対象画像内から表示対象領域として画定された複数の領域のそれぞれを識別する識別情報（領域ＩＤ）と、当該画定された領域の位置を示す情報（ここでは画定された領域の左上及び右下の位置座標）と、当該領域の表示を開始する開始時点を示す情報と、当該領域を表示する際の表示倍率と、を関連づける情報となっている。なお、ここでは表示対象領域として画定される各領域は、左上及び右下の位置座標によって特定される矩形の領域であるものとしている。また、各領域を表示対象領域として表示する表示開始時点を示す情報は、対応する表示対象画像の表示開始時点を基準時点とした経過時間により表されている。具体的に、この図の例に示す表示制御情報は、ファイル名「００１．ｊｐｇ」で特定される表示対象画像について、まず領域ＩＤ「Ａ１」で識別される領域を倍率３１．２５％で縮小して２秒間表示した後、領域ＩＤ「Ａ２」で識別される領域を倍率５１．７％で縮小して１５秒間表示し、次に領域ＩＤ「Ａ３」で識別される領域を縮小せずに１７秒間表示し、さらに続いて図に示されるような領域を表示対象領域として順に表示していくことを指示する情報となっている。
【００３２】
なお、領域ＩＤや表示倍率は、必ずしも表示制御情報に含まれなくともよい。また、表示制御情報には、さらに表示対象領域として画定された各領域の形状等に応じて決定される、当該領域を配置する利用者端末３の画面上の位置を示す情報が含まれてもよい。
【００３３】
講演情報配信部２３は、利用者端末３からの配信要求を受け付けて、当該配信要求に応じて、記憶部１２に格納されている講演情報及び表示制御情報を利用者端末３に対して配信する。なお、講演情報配信部２３は、配信要求の対象となった講演に関する全ての情報を一括して利用者端末３に送信してもよいし、利用者端末３の再生状況に応じて少しずつ情報を送信するストリーミング配信を行ってもよい。
【００３４】
利用者端末３は、配信された講演情報に含まれる画像及び音声を、講演時に記録された順番で表示及び再生することによって、講演の内容を利用者に提示する。具体的に、利用者端末３は、配信された講演情報に含まれる音声データを再生するとともに、講演情報に含まれる表示対象画像のうち、表示制御情報により示される表示対象領域を、所定の大きさの画面内に表示する。このとき、表示制御情報に表示倍率を指示する情報が含まれていれば、利用者端末３は、指示される表示倍率に従って表示対象領域内の画像を拡大又は縮小して、画面内に表示する。あるいは、利用者端末３は、表示対象領域の大きさ（画素数）と、当該利用者端末３の画面の大きさ（解像度）と、に応じて決定される倍率により表示対象領域内の画像を拡大又は縮小して、画面内に表示してもよい。ここで、表示対象領域が表示対象画像の一部の領域であるときには、表示対象画像全体が画面内に表示される場合と比較して、表示対象領域は、より大きな倍率で画面内に表示される。そのため、表示対象画像全体が画面内に表示される場合と比較して、画像内の文字などが大きなサイズで表示される。なお、利用者端末３は、各表示対象領域の画像を表示するとともに、マウスポインタ等を表す画像を注目位置に応じた位置に重畳して表示してもよい。
【００３５】
また、利用者端末３は、講演において表示対象画像の表示中に録音された音声データを再生するとともに、当該音声データの再生開始時を基準時点として、当該表示対象画像内から画定された表示対象領域の表示を開始する。これにより、利用者端末３は、講演の際に録音された音声を再生するとともに、当該再生中の音声が録音されていた時点において聴衆に注目されていた領域を、利用者に提示することとなる。
【００３６】
以下、領域情報出力部２２が表示対象画像内から表示対象領域を画定する処理の具体例について、説明する。
【００３７】
まず第１の例として、表示対象画像のレイアウト解析を行い、その結果に基づいて表示対象領域を選択する例について、説明する。この例では、領域情報出力部２２は、まず表示対象画像に対して所定のレイアウト解析処理を行う。ここで、レイアウト解析処理は、表示対象画像内に配置された各画像要素（例えば文字、絵柄、図表など）の占める領域を画定する処理である。このレイアウト解析処理は、公知のパターン認識処理などによって実現される。これによって、例えば表示対象画像内に配置された各文字や、図表などを表す領域の外縁が特定される。さらに、領域情報出力部２２は、特定された各文字の位置や大きさなどに基づいて、複数の文字を含んだ領域を、見出しや本文などを表す文字列領域として特定してもよい。領域情報出力部２２は、レイアウト解析処理によって画定される表示対象画像内の各画像要素を表す領域を、表示対象領域の候補領域とする。
【００３８】
図６は、このレイアウト解析処理の解析結果の一例を示す図である。図６の例では、一点鎖線で示される領域Ａ１〜Ａ９の９個の候補領域のほか、他の候補領域を包含し、表示対象画像全体に一致する背景領域Ａ１０が候補領域として画定されている。この背景領域Ａ１０は、他の候補領域のいずれにも含まれない表示対象画像の背景部分に対応する候補領域である。また、図６においては、当該表示対象画像内を移動する注目位置の移動経路が、破線で示されている。なお、注目位置の移動経路上における×印は、所定時間ごとの注目位置として講演記録装置２が記録した位置を示している。
【００３９】
候補領域が画定されると、続いて領域情報出力部２２は、この候補領域の中から、注目位置の移動経路に基づいて時間とともに切り替わるように、表示対象領域とする候補領域を選択する。ここでは領域情報出力部２２は、注目位置の移動経路に基づいて、表示対象画像の表示時間全体を所定の時間間隔で区切った各時点における表示対象領域の位置を、画定された候補領域の中から選択する。
【００４０】
具体的に、例えば領域情報出力部２２は、注目位置が所定時間以上にわたって一つの候補領域内に存在する場合に、当該候補領域に注目位置が入った時点から、表示対象領域を当該候補領域に変更する。この例では、表示対象画像の表示開始時点における表示対象領域は、最初に注目位置が存在した候補領域であることとし、その後は、講演時に所定時間以上にわたって注目位置が存在した候補領域に表示対象領域が切り替わっていく。なお、候補領域の一つとして背景領域が画定されている場合には、他の候補領域内に注目位置が存在しない時間が所定時間以上にわたると、当該時間の開始時点から、表示対象領域が背景領域に切り替えられることとする。あるいは、領域情報出力部２２は、注目位置が背景領域以外の候補領域内に存在しない場合には、背景領域以外の候補領域のうち、所定の閾値内の距離で注目位置の近傍に位置する候補領域内に注目位置が存在するとみなして、表示対象領域を選択することとしてもよい。
【００４１】
図７は、注目位置が図６において破線で示される経路に沿って移動した場合における、上述した方法で決定される表示対象領域の一例を示す図である。この図では、対応する表示対象画像の表示が開始される時点を基準時点とした、所定の時間間隔おきの時系列のインデックスを表す時系列番号のそれぞれに対して、講演時に当該表示対象画像の表示が開始された時点を基準時点とした場合に、当該時系列番号により示される時点に注目位置が存在した候補領域が示されている。この各時点における注目位置は、図６において×印で示される位置に対応している。また、図７には、各時系列番号により示される時点における表示対象領域として、領域情報出力部２２がどの候補領域を選択するかも、併せて示されている。この図に示すように、表示対象画像の表示開始時（時系列番号「１」の時点）では、注目位置は背景領域Ａ１０内に存在しているため、背景領域Ａ１０が表示対象領域として選択される。その後、注目位置は時系列番号「３」の時点で領域Ａ７内を通っているが、注目位置が領域Ａ７内に存在する時間は限られているため、この例では表示対象領域として選択されず、表示対象領域は背景領域Ａ１０のままになっている。さらに続いて、注目位置は時系列番号「４」の時点で領域Ａ６に進入している。この領域Ａ６には、時系列番号「４」の時点から時系列番号「１２」の時点まで注目位置が存在しているので、時系列番号「４」の時点で表示対象領域は領域Ａ６に切り替えられる。その後、同様の基準に従って、表示対象領域は、時系列番号「１４」の時点で領域Ａ５に、時系列番号「２２」の時点で領域Ａ８に、切り替えられている。
【００４２】
このようにして、領域情報出力部２２は、講演時に所定時間以上にわたって注目位置が存在した候補領域を、順に表示対象領域として選択する。そして、この選択結果に基づいて、表示制御情報を生成する。この例では、表示対象領域を次の候補領域に切り替える時点が、図５の例における各領域の表示開始時点に対応し、表示対象領域として選択された各候補領域を識別する識別情報が、図５の例における領域ＩＤに対応している。
【００４３】
また、領域情報出力部２２は、表示対象領域として選択された各候補領域の大きさ（画素数）に応じて、当該候補領域が表示される際の表示倍率を決定してもよい。具体例として、領域情報出力部２２は、予め利用者端末３の画面の大きさ（解像度）に関する情報を取得し、当該画面内に収まるように、各候補領域を表示する際の表示倍率を決定し、図５に例示したように表示制御情報に追加する。このとき、講演情報配信装置１が複数種類の利用者端末３から講演情報の利用要求を受け付ける場合、領域情報出力部２２は、利用者端末３の種類ごとに、それぞれの画面の大きさに応じて、複数種類の表示倍率を定めてもよい。
【００４４】
次に、第２の例として、表示対象領域の大きさが固定されており、注目位置の移動経路に沿って移動するように表示対象領域を画定する例について、説明する。この例では、領域情報出力部２２は、講演時の各時点における注目位置を中心として、所定の大きさ及び形状の領域を、当該時点に対応する表示時の時点における表示対象領域として画定する。こうすれば、表示対象領域は、注目位置の移動経路に沿って表示対象画像内を時間とともに移動する領域となる。なお、この例においては、表示対象領域の大きさ及び形状は、例えば利用者端末３の画面の大きさや形状に応じて決定されてよい。
【００４５】
次に、第３の例として、注目位置の停留点に基づいて表示対象領域を画定する例について、説明する。この例では、領域情報出力部２２は、まず注目位置の停留点を特定する。この停留点は、注目位置が表示対象画像内で略停止している点である。例えば領域情報出力部２２は、所定の時間を超える期間にわたって、注目位置の移動距離が所定値以下となっている場合に、当該期間内における注目位置の重心を、停留点として特定する。そして、当該期間の開始時点から、当該停留点を中心とした領域に表示対象領域を切り替える。この例によれば、表示対象領域は、注目位置が一定以上の速度で移動している間は変化せず、新たな位置に停留すると、当該位置に移動する領域となる。なお、この第３の例においても、第２の例と同様に、表示対象領域は所定の大きさ及び形状の領域であってよい。
【００４６】
次に、第４の例として、表示対象領域の大きさが注目位置の移動速度に応じて変化する例について、説明する。この例では、領域情報出力部２２は、時系列番号により特定される各時点における表示対象領域が、当該時点における注目位置と、当該時点から所定時間が経過した後の注目位置と、を含むように、時間の経過とともに表示対象領域を変化させる。こうすれば、注目位置が素早く他の位置に移動する場合には、その移動経路全体を含むように表示対象領域が拡大される。一方、注目位置が減速した場合には、これに応じて表示対象領域は小さくなる。さらに、注目位置が前述したような停留点に留まっている時間においては、表示対象領域は、当該停留点を含む所定の大きさ及び形状の領域として画定される。
【００４７】
図８は、この例において画定される表示対象領域の一例を示す図である。この図においては、図６と同様に破線が注目位置の移動経路を示しており、移動経路上の×印は、所定時間ごとの注目位置を示している。この図の例においては、領域情報出力部２２は、まず領域Ａ１１を最初の所定時間における表示対象領域として画定し、さらに領域Ａ１２を次の所定時間における表示対象領域として画定する。そして、領域Ａ１３を続く所定時間における表示対象領域として画定する。このように、第４の例によれば、所定の時間内に注目位置が移動した距離に応じて、表示対象領域の大きさが変化する。
【００４８】
次に、第５の例として、第４の例と同様に表示対象領域の大きさが注目位置の移動速度に応じて変化する場合の別の例について、説明する。この例では、領域情報出力部２２は、表示対象画像を表示する全体の時間を、所定の数又は長さの複数の時間区間に分割する。そして、分割された各時間区間における表示対象領域を、当該時間区間における注目位置の移動範囲を含むように画定する。こうすれば、第４の例と同様に、表示対象領域は、注目位置の移動速度が速いときには大きな領域として、また注目位置の移動速度が遅いときには小さな領域として、画定される。ただし、第４の例と異なり、表示対象領域は、各時間区間が経過するごとに切り替わる、非連続の領域として画定されることとなる。
【００４９】
次に、第６の例として、注目位置の移動速度に応じて、表示対象領域の画定方法自体を変化させることにより、注目位置の移動速度に応じて表示対象領域の大きさを変化させる例について説明する。この例では、領域情報出力部２２は、各時点における注目位置の移動速度（すなわち、所定時間前から当該時点までの注目位置の移動距離）が、複数の数値範囲のいずれに属するかに応じて、表示対象領域の画定方法を決定する。具体的に、例えば領域情報出力部２２は、注目位置の移動速度を「高速」、「低速」、及び「停留」の３つの数値範囲に分類する。そして、「高速」に分類される移動速度で注目位置が移動している時点においては、表示対象画像全体を表示対象領域として画定する。また、注目位置が「低速」に分類される移動速度で移動している時点においては、当該注目位置を含む所定の大きさ及び形状の領域を、表示対象領域として画定する。このとき、表示対象領域の大きさ及び形状は、等倍率で（すなわち、拡大や縮小をせずに）利用者端末３の画面上に表示可能なものとする。また、注目位置が「停留」に分類される移動速度で移動している時点（すなわち、注目位置が略停止している場合）においては、当該注目位置を含む、「低速」の場合より小さな大きさの領域を、表示対象領域として画定する。こうすれば、注目位置が停留している場合には、利用者端末３は、停留している注目位置の近傍を拡大して画面上に表示することとなる。
【００５０】
なお、これまでに説明した表示対象領域を画定する方法の複数の例については、組み合わせて用いられることとしてもよい。例えば領域情報出力部２２は、上述した第６の例において、各時点における注目位置の移動速度に応じて、他の例による画定方法の中から表示対象領域を画定する方法を選択することとしてもよい。
【００５１】
また、以上の説明した表示対象領域の例のうち、表示対象領域の位置や大きさが不連続に変化するような場合には、利用者端末３は、表示対象領域の変化の過程を利用者に示すために、表示対象領域の遷移を示す遷移画像を表示してもよい。例えば利用者端末３は、表示対象領域が表示対象画像全体に一致する状態から、表示対象画像の一部の領域へと変化する場合、まず現在表示中の画像のうち、次に表示対象領域として表示対象となる部分を枠線などによって示す遷移画像を画面上に表示する。そして、遷移画像の表示後に、新たな表示対象領域内の画像を画面上に表示する。これにより、利用者に、表示対象領域として表示される領域が表示対象画像のどの部分かを示す情報が提示される。
【００５２】
以上説明した本実施の形態によれば、表示対象画像内において時間とともに移動する注目位置に基づいて画定された、時間とともに変化する表示対象領域に含まれる画像が、利用者端末３の画面上に表示される。これにより、講演時に注目されていた領域が、利用者に提示される。
【００５３】
なお、本発明の実施の形態は、以上説明したものに限られない。例えば、以上の説明においては、講演情報配信装置１は、表示対象領域の位置を示す情報を含んだ表示制御情報を、表示対象画像とともに利用者端末３に配信し、利用者端末３は、表示制御情報に基づいて表示対象画像から切り出した表示対象領域内の画像を画面上に表示することとしている。しかしながら、これに限らず、講演情報配信装置１が、表示対象画像から表示対象領域内の画像を切り出し、当該切り出した画像それぞれの表示順序及び表示時間を示す情報とともに、利用者端末３に配信することとしてもよい。この場合において、講演情報配信装置１は、利用者端末３の画面の大きさに応じて、切り出した画像を拡大又は縮小して、利用者端末３に配信してもよい。また、講演情報配信装置１は、利用者端末３の画面の形状に応じて、切り出した画像を変形して、利用者端末３に配信してもよい。この場合、利用者端末３は、配信された画像を加工せずにそのまま画面上に表示する。
【００５４】
また、本実施形態において講演情報配信装置１が実行することとした処理の一部は、利用者端末３側で実行することとしてもよい。すなわち、講演情報配信装置１から講演情報の配信を受けた利用者端末３が、取得した講演情報に基づいて上述したような表示制御情報を生成し、表示対象領域内の画像を順次表示してもよい。この場合、利用者端末３が本発明における画像処理装置として機能することとなる。
【図面の簡単な説明】
【００５５】
【図１】本発明の実施の形態に係る画像処理装置の概略の構成例を表す図である。
【図２】講演記録装置が記録する講演情報の一例を示す図である。
【図３】注目位置情報の一例を示す図である。
【図４】本発明の実施の形態に係る画像処理装置が実現する機能の一例を示す機能ブロック図である。
【図５】本発明の実施の形態に係る画像処理装置が生成する表示制御情報の一例を示す図である。
【図６】領域情報出力部によるレイアウト解析処理の解析結果の一例を示す図である。
【図７】領域情報出力部により複数の候補領域の中から選択される表示対象領域の一例を示す図である。
【図８】領域情報出力部により画定される表示対象領域の一例を示す図である。
【符号の説明】
【００５６】
１  講演情報配信装置、２  講演記録装置、３  利用者端末、１１  制御部、１２  記憶部、１３  通信部、２１  講演情報取得部、２２  領域情報出力部、２３  講演情報配信部。
【図１】
2009181486.tif 000003
【図２】
2009181486.tif 000004
【図３】
2009181486.tif 000005
【図４】
2009181486.tif 000006
【図５】
2009181486.tif 000007
【図６】
2009181486.tif 000008
【図７】
2009181486.tif 000009
【図８】
2009181486.tif 000010